(57)【要約】【課題】端子の不完全接続などの異常に対して温度ヒューズ等の感温部が確実に反応する安全機能を備えた端子台を提供する。【解決手段】  この端子台１００は端子台本体１０に、感温部を備えた熱検知用基板としての温度ヒューズユニット２０を具備し、前記二次側端子部の各端子に熱接触した接触片２６が熱検知用基板に熱的に接続されている。ここで熱検知用基板は、温度ヒューズ２３を搭載した配線基板２１で構成され、所望の温度以上になると溶断する。そして、この端子台では、温度ヒューズ２３の出力はコネクタ２４を介して外部出力され、必要に応じて、端子台の一次側端子部への給電停止などの処理を行う。【選択図】図１
2012216395.tif 000002
【特許請求の範囲】
【請求項１】
一次側端子に接続される一次側端子部と、
二次側端子に接続される二次側端子部と、
感温部を備えた熱検知用基板とを具備し、
前記二次側端子部の少なくとも１つの端子に熱接触した接触片が前記熱検知用基板に接続された端子台。
【請求項２】
請求項１に記載の端子台であって、
前記感温部は温度ヒューズを含み、
前記熱検知用基板は、前記温度ヒューズを搭載した配線基板である端子台。
【請求項３】
請求項２に記載の端子台であって、
前記温度ヒューズの出力はコネクタを介して外部出力されるように構成された端子台。
【請求項４】
請求項１乃至３のいずれか１項に記載の端子台であって、
前記二次側端子部は、端子板と、前記端子板上に形成された接続孔に挿通して電線を挟みこむように形成されたビスとを備え、
前記熱検知用基板は、前記端子板と当接するように構成された端子台。
【請求項５】
請求項４に記載の端子台であって、
前記端子板と前記熱検知用基板は所定の角度をなすように折り曲げられた端子台。
【請求項６】
請求項１乃至５のいずれか１項に記載の端子台を含む配電装置。
【発明の詳細な説明】
【技術分野】
【０００１】
本発明は、端子台およびこれを用いた配電装置に係り、特に、温度ヒューズなどの感温部を有する熱検知用基板を備えた端子台に関する。
【背景技術】
【０００２】
従来、分電盤、制御盤等の電気機器収納箱には、内部に収納した電気機器からの電線（内部電線すなわち二次配線）と、外部からの電線（外部電線すなわち一次配線）とを中継する端子台が備えられている（例えば、特許文献１参照）。このような端子台では、電気機器収納箱の製造業者が、電気機器収納箱内の電気機器からの内部電線を接続する。一方、外部電線の接続は、電気機器収納箱を現場に設置した後に、現場の施工業者が行う。
【先行技術文献】
【特許文献】
【０００３】
【特許文献１】特開２００５−６９６３８号公報
【発明の概要】
【発明が解決しようとする課題】
【０００４】
このように内部電線すなわち二次配線と、外部電線すなわち一次配線とが接続される端子台は、内部電線を接続した状態で出荷され、現場では外部電線の接続のみを行う。しかし、現場の施工業者が、電気機器収納箱内に外部電線を接続する際に、接続がゆるみ、発熱しやすいという課題があった。
【０００５】
本発明は、前記実情に鑑みてなされたものであり、その目的は、端子の不完全接続などの異常に対して温度ヒューズなどの感温部が確実に反応する安全機能を備えた端子台を提供することにある。
【課題を解決するための手段】
【０００６】
上記目的を達成するために、本発明による端子台は、一次側端子に接続される一次側端子部と、二次側端子に接続される二次側端子部と、感温部を備えた熱検知用基板とを具備し、前記二次側端子部の少なくとも１つの端子に熱接触した接触片が前記熱検知用基板に接続される。
【０００７】
また、本発明は、上記端子台であって、前記感温部は温度ヒューズを含み、前記熱検知用基板は、前記温度ヒューズを搭載した配線基板であるものを含む。
【０００８】
また、本発明は、上記端子台であって、前記温度ヒューズの出力はコネクタを介して外部出力されるように構成されたものを含む。
【０００９】
また、本発明は、上記端子台であって、前記二次側端子部は、端子板と、前記端子板上に形成された接続孔に挿通して電線を挟みこむように形成されたビスとを備え、前記熱検知用基板は、前記端子板と当接するように構成されたものを含む。
【００１０】
また、本発明は、上記端子台であって、前記端子板と前記熱検知用基板は所定の角度をなすように折り曲げられたものを含む。
【００１１】
また、本発明は、上記端子台で配電装置を構成する。
【発明の効果】
【００１２】
上記構成によれば、端子の不完全接続などの異常に対して温度ヒューズなどの感温部が確実に反応し得、安全を確保することのできる端子台を提供することができる。
このため、端子台に熱接触された接触片を介して熱検知用基板に熱を搬送し、感温部が反応するようにしているため、更に端子台が加熱されて焼損、発火することがない。
【図面の簡単な説明】
【００１３】
【図１】本発明の実施の形態１の端子台を示す斜視図
【図２】本発明の実施の形態１の端子台を示す分解斜視図であり、（ａ）は端子台本体、（ｂ）は温度ヒューズユニットを示す図
【図３】本発明の実施の形態１の端子台を示す図であり、（ａ）は上面図、（ｂ）は側面図
【図４】温度ヒューズユニットを示す図であり、（ａ）は上面図、（ｂ）は（ａ）のＡ−Ａ断面図
【図５】実施の形態１の端子台の変形例を示す図
【図６】実施の形態２の端子台を用いた分電盤を示す斜視図
【図７】実施の形態３の端子台を示す断面図
【発明を実施するための形態】
【００１４】
本発明の端子台について、図面を参照しつつ詳細に説明する。
（実施の形態１）
図１は、実施の形態１の端子台を示す斜視図、図２はこの端子台を示す分解斜視図であり、（ａ）は端子台本体、（ｂ）は感温ユニットとしての熱検知用基板すなわち温度ヒューズユニットを示す図である。図３は端子台を示す図であり、（ａ）は上面図、（ｂ）は側面図である。図４は、温度ヒューズユニットを示す図であり、（ａ）は上面図、（ｂ）は（ａ）のＡ−Ａ断面図である。
【００１５】
この端子台１００は、図１に示すように、端子台本体１０に、感温部を備えた熱検知用基板としての温度ヒューズユニット２０を具備し、前記二次側端子部の各端子に熱接触した接触片２６が熱検知用基板に熱的に接続されている。ここで熱検知用基板は、温度ヒューズ２３を搭載した配線基板２１で構成され、所望の温度以上になると溶断する。
【００１６】
また、この端子台では、温度ヒューズ２３の出力はコネクタ２４を介して外部出力され、必要に応じて、端子台の一次側端子部への給電停止などの処理を行うように構成されている。
【００１７】
このようにして二次側端子部の各端子に熱接触した接触片２６によって温度ヒューズユニット２０に熱を搬送し、この熱検知用基板上で温度検出を行うようにしたものである。この端子台は、一次側端子に接続される一次側端子部１１と、二次側端子に接続される二次側端子部１２とを具備している。そしてこの二次側端子部の各端子の配列方向に沿って全幅に接触片２６が配節され、熱的接触を達成している。温度ヒューズユニット２０は、端子板１５上に重ね合わせて形成された配線基板２１を搭載するとともに、この端子板から出力が導出される。
ここでは一次側端子部１１、二次側端子部１２ともに８個の端子を備えるが、各端子部は隔壁１０ｓで分離されている。温度ヒューズ２３としては、所定の温度以上になるとこれを検知して溶断する温度ヒューズ２３が用いられ、温度ヒューズユニット２０を構成している。
そしてこの端子台は、一次側端子部１１と二次側端子部１２とを分離するセパレート部１３が、端子台本体１０と一体成型で形成されている。
【００１８】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体との電気的接続を達成している。
１４は端子台本体１０の両端の支持板であり、それぞれ支持板本体１４ａと、取り付け突起１４ｂと、ビス１４ｃとを有している。また１５は端子板であり、この端子板１５に形成された配線パターンによって一次側端子部と二次側端子部とが接続されている。
【００１９】
上記構成によれば、熱検知用基板で構成された温度ヒューズユニットを接触片で各端子に熱接触して用いることで、この二次側端子部が所定の温度以上になると、その熱が温度ヒューズに伝達されるため、極めて容易に温度ヒューズ２３を高感度化することができる。
また各端子は端子台本体１０の複数個の突起すなわち隔壁１０ｓで確実に保持されながらも、いずれかの端子が許容温度を超えた時にも、接触片２６を介して容易に温度ヒューズに伝達することができる。このように本実施の形態の端子台では、隣接する２つの端子にまたがって温度ヒューズ２３を配しており、８端子に対して４個の温度ヒューズで、対応することができる。このため部品点数を削減を図ることができる。
またこの構成によれば、端子の不完全接続などの異常に対してセンサが確実に反応することができるため、確実な安全装置として作用する。
【００２０】
なお、前記実施の形態では、温度ヒューズを用いたが、高温を検知して溶断する温度ヒューズに代えて、単に温度センサを用いて、警告信号を発信したり、別の場所で警告音を発するようにしてもよい。
【００２１】
また、前記実施の形態では、８端子に対して４個の温度ヒューズを用いている。これに対し、各端子間のすべてに温度ヒューズ２３を配してもよいし、また図５に変形例を示すように熱検知用基板上に一つの温度ヒューズ２３を配置するようにしてもよい。
【００２２】
（実施の形態２）
次いで、本発明の実施の形態２について、図面を参照して説明する。
図６は、実施の形態２の端子台を用いた分電盤を示す斜視図である。
本実施の形態では前記実施の形態１で示した端子台を二次側端子部１２との間に温度ヒューズ２３を備えた熱検知用基板からなる温度ヒューズユニット２０を用いた分電盤Ｂについて説明する。
分電盤Ｂとしては通常の構成を示すものであるが、表示部Ｄ、端子台１００を備えている。この端子台１００は二次側端子部１２の各端子に接触片（２６）を介して熱検知用基板を構成する温度ヒューズ（２３）に接続している。なお、図１に示した実施の形態１の端子台と同一の部分については同一の符号を付して、その詳細な説明は省略する。
【００２３】
なお、前記実施の形態１では、温度ヒューズを用いたが、本実施の形態においても、高温を検知して溶断する温度ヒューズに代えて、単に温度センサを用い、警告信号を発信したり、別の場所で警告音を発するようにしてもよい。
【００２４】
（実施の形態３）
次に本発明の実施の形態３の端子台について説明する。この端子台は、図７に断面図を示すように、熱検知用基板を下方に折り曲げたものである。他部については前記実施の形態１と同様である。
【００２５】
この端子台１００Ｓは、図７に示すように、前記実施の形態１に示した端子台と同様、端子台本体１０に、一次側端子に接続される一次側端子部１１と、二次側端子に接続される二次側端子部１２とを具備している。そして本実施の形態では、温度変化を検出する温度センサユニット２０Ｓを備えたている。この温度センサユニット２０Ｓは端子台の二次側端子部の各端子に接触片を介して直接接触するように構成されている。
【００２６】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体との電気的接続を達成している。
【００２７】
上記構成によれば、熱検知用基板上に温度センサ２３Ｓを設けているため、端子の不完全接続などの異常に対して温度センサ２３Ｓが確実に反応し、一次側及び二次側の両側の異常検知が可能である。
【００２８】
また本実施の形態では、端子台のセパレート部の長手方向全体にわたり、接触片を介して熱的に接触状態を維持するようにしている。この接触片と熱検知用基板の配線パターン２２を介して熱を温度センサ２３Ｓまで搬送しているため、容易に確実な温度検出が実現される。
【００２９】
なお、熱検知用基板としては、金属基板表面に絶縁膜を介して配線パターン及び温度ヒューズなどの感温部を形成したものも有効である。この場合は接触片を金属基板と一体形成することも可能である。また、フレキシブル基板上に配線パターン及び温度ヒューズなどの感温部を形成したものも有効であり、この場合はフレキシブル基板に、櫛形にパターニングした金属箔の根元部を貼着し、先端部を接触片としてもよい。さらにまたセラミックなどやガラスなど剛性基板上に配線パターン及び温度ヒューズなどの感温部を形成したものも有効である。
【符号の説明】
【００３０】
１０      端子台本体
１０ｓ      隔壁
１１      一次側端子部
１１ａ      端子ネジ
１１ｂ      台座
１２      二次側端子部
１２ａ      端子ネジ
１２ｂ      台座
１３      セパレート部
１４      支持板
１４ａ      支持板本体
１４ｂ      取り付け突起
１４ｃ      ビス
１４ｄ      外部接続端子部
１５      端子板
２０      温度ヒューズユニット
２１      配線基板
２２      配線パターン
２３      温度ヒューズ
２４      コネクタ
２６      接触片
１００      端子台
【図１】
2012216395.tif 000003
【図２】
2012216395.tif 000004
【図３】
2012216395.tif 000005
【図４】
2012216395.tif 000006
【図５】
2012216395.tif 000007
【図６】
2012216395.tif 000008
【図７】
2012216395.tif 000009
【手続補正書】
【提出日】平成23年7月20日(2011.7.20)
【手続補正１】
【補正対象書類名】明細書
【補正対象項目名】全文
【補正方法】変更
【補正の内容】
【発明の詳細な説明】
【技術分野】
【０００１】
本発明は、端子台およびこれを用いた配電装置に係り、特に、温度ヒューズなどの感温部を有する熱検知用基板を備えた端子台に関する。
【背景技術】
【０００２】
従来、分電盤、制御盤等の電気機器収納箱には、内部に収納した電気機器からの電線（内部電線すなわち二次配線）と、外部からの電線（外部電線すなわち一次配線）とを中継する端子台が備えられている（例えば、特許文献１参照）。このような端子台では、電気機器収納箱の製造業者が、電気機器収納箱内の電気機器からの内部電線を接続する。一方、外部電線の接続は、電気機器収納箱を現場に設置した後に、現場の施工業者が行う。
【先行技術文献】
【特許文献】
【０００３】
【特許文献１】特開２００５−６９６３８号公報
【発明の概要】
【発明が解決しようとする課題】
【０００４】
このように内部電線すなわち二次配線と、外部電線すなわち一次配線とが接続される端子台は、内部電線を接続した状態で出荷され、現場では外部電線の接続のみを行う。しかし、現場の施工業者が、電気機器収納箱内に外部電線を接続する際に、接続がゆるみ、発熱しやすいという課題があった。
【０００５】
本発明は、前記実情に鑑みてなされたものであり、その目的は、端子の不完全接続などの異常に対して温度ヒューズなどの感温部が確実に反応する安全機能を備えた端子台およびこれを用いた配電装置を提供することにある。
【課題を解決するための手段】
【０００６】
上記目的を達成するために、本発明による端子台は、一次側端子に接続される一次側端子部と、二次側端子に接続される二次側端子部と、感温部を備えた熱検知用基板とを具備し、前記二次側端子部の少なくとも１つの端子に熱接触した接触片が前記熱検知用基板に接続される。
【０００７】
また、本発明は、上記端子台であって、前記感温部は温度ヒューズを含み、前記熱検知用基板は、前記温度ヒューズを搭載した配線基板であるものを含む。
【０００８】
また、本発明は、上記端子台であって、前記温度ヒューズの出力は前記熱検知用基板に設けられた出力部を介して外部出力されるように構成されたものを含む。
【０００９】
また、本発明は、上記端子台であって、前記二次側端子部は、端子板と、前記端子板上に形成された台座に螺合して電線を挟みこむように形成された端子ネジとを備え、前記熱検知用基板は、前記端子板と当接するように構成されたものを含む。
【００１０】
また、本発明は、上記端子台であって、前記熱検知用基板は前記端子板と所定の角度をなすように折り曲げられたものを含む。
【００１１】
また、本発明の配電装置は、上記端子台を含む。
【発明の効果】
【００１２】
上記構成によれば、端子の不完全接続などの異常に対して温度ヒューズなどの感温部が確実に反応し得、安全を確保することのできる端子台およびこれを含む配電装置を提供することができる。
このため、端子台に熱接触された接触片を介して熱検知用基板に熱を搬送し、感温部が反応するようにしているため、更に端子台が加熱されて焼損、発火することがない。
【図面の簡単な説明】
【００１３】
【図１】本発明の実施の形態１の端子台を示す斜視図
【図２】本発明の実施の形態１の端子台を示す分解斜視図であり、（ａ）は端子台本体、（ｂ）は温度ヒューズユニットを示す図
【図３】本発明の実施の形態１の端子台を示す図であり、（ａ）は上面図、（ｂ）は側面図
【図４】温度ヒューズユニットを示す図であり、（ａ）は上面図、（ｂ）は（ａ）のＡ−Ａ断面図
【図５】実施の形態１の端子台の変形例を示す図
【図６】実施の形態２の端子台を用いた分電盤を示す斜視図
【図７】実施の形態３の端子台を示す断面図
【発明を実施するための形態】
【００１４】
本発明の端子台について、図面を参照しつつ詳細に説明する。
（実施の形態１）
図１は、実施の形態１の端子台を示す斜視図、図２はこの端子台を示す分解斜視図であり、（ａ）は端子台本体、（ｂ）は感温ユニットとしての熱検知用基板すなわち温度ヒューズユニットを示す図である。図３は端子台を示す図であり、（ａ）は上面図、（ｂ）は側面図である。図４は、温度ヒューズユニットを示す図であり、（ａ）は上面図、（ｂ）は（ａ）のＡ−Ａ断面図である。
【００１５】
この端子台１００は、図１乃至図３に示すように、端子台本体１０に、感温部を備えた熱検知用基板としての温度ヒューズユニット２０を具備し、後述する二次側端子部１２の各端子に熱接触した接触片２６（図２および図３参照）が熱検知用基板に熱的に接続されている。ここで熱検知用基板は、感温部としての温度ヒューズ２３を搭載した配線基板２１で構成され、所望の温度以上になると溶断する。
【００１６】
また、この端子台１００では、温度ヒューズ２３の出力は出力部としてのコネクタ２４を介して外部出力され、必要に応じて、端子台１００の一次側端子部１１への給電停止などの処理を行うように構成されている。
【００１７】
このようにして二次側端子部１２の各端子に熱接触した接触片２６によって温度ヒューズユニット２０に熱を搬送し、この熱検知用基板上で温度検出を行うようにしたものである。なお、図示例では二次側端子部１２の各端子に接触片２６を接続しているが、少なくとも１つの端子に接触片２６を接続するようにしてもよい。この端子台１００は、一次側端子に接続される一次側端子部１１と、二次側端子に接続される二次側端子部１２とを具備している。そしてこの二次側端子部１２の各端子の配列方向に沿って全幅に接触片２６が配設され、熱的接触を達成している。温度ヒューズユニット２０は、端子板１５上に重ね合わせて形成された配線基板２１を搭載するとともに、コネクタ２４から出力が導出される。
ここでは一次側端子部１１、二次側端子部１２ともに８個の端子を備えるが、各端子は隔壁１０ｓで分離されている。温度ヒューズ２３としては、所定の温度以上になるとこれを検知して溶断する温度ヒューズ２３が用いられ、温度ヒューズユニット２０を構成している。
そしてこの端子台１００は、一次側端子部１１と二次側端子部１２とを分離するセパレート部１３が、端子台本体１０と一体成型で形成されている。
【００１８】
一次側端子部１１は、端子ネジ１１ａ（一次側端子）を台座１１ｂ（一次側端子）に設けられたネジ穴に螺合させることにより、一次側配線の各端子とこの端子台本体１０との電気的接続を達成している。また、二次側端子部１２は、端子ネジ１２ａ（二次側端子）を台座１２ｂ（二次側端子）に設けられたネジ穴に螺合させることにより、二次側配線の各端子とこの端子台本体との電気的接続を達成している（図３参照）。
１４は端子台本体１０の両端の支持板であり、それぞれ支持板本体１４ａと、取り付け突起１４ｂと、ビス１４ｃと、外部接続端子部１４ｄとを有している。また１５は端子板であり、この端子板１５に形成された配線パターンによって一次側端子部１１と二次側端子部１２とが接続されている。
【００１９】
上記構成によれば、熱検知用基板で構成された温度ヒューズユニット２０を接触片２６で各端子に熱接触して用いることで、この二次側端子部１２が所定の温度以上になると、その熱が温度ヒューズ２３に伝達されるため、極めて容易に温度ヒューズ２３を高感度化することができる。
また各端子は端子台本体１０の複数個の突起すなわち隔壁１０ｓで確実に保持されながらも、いずれかの端子が許容温度を超えた時にも、接触片２６を介して容易に温度ヒューズ２３に伝達することができる。このように本実施の形態の端子台１００では、隣接する２つの端子にまたがって温度ヒューズ２３を配しており、８端子に対して４個の温度ヒューズ２３で、対応することができる。このため部品点数の削減を図ることができる。
またこの構成によれば、端子の不完全接続などの異常に対してセンサが確実に反応することができるため、確実な安全装置として作用する。
【００２０】
なお、前記実施の形態では、温度ヒューズ２３を用いたが、高温を検知して溶断する温度ヒューズに代えて、単に温度センサを用いて、警告信号を発信したり、別の場所で警告音を発するようにしてもよい。
【００２１】
また、前記実施の形態では、８端子に対して４個の温度ヒューズ２３を用いている。これに対し、各端子間のすべてに温度ヒューズ２３を配してもよいし、また図５に変形例を示すように熱検知用基板上に一つの温度ヒューズ２３を配置するようにしてもよい。
【００２２】
（実施の形態２）
次いで、本発明の実施の形態２について、図面を参照して説明する。
図６は、実施の形態２の端子台を用いた分電盤を示す斜視図である。
本実施の形態では前記実施の形態１で示した端子台１００を用いた分電盤Ｂについて説明する。端子台１００は、二次側端子部１２との間に温度ヒューズ２３を備えた熱検知用基板からなる温度ヒューズユニット２０を備える。
分電盤Ｂとしては通常の構成を示すものであるが、表示部Ｄ、端子台１００を備えている。この端子台１００は二次側端子部１２の各端子に接触片２６を介して熱検知用基板を構成する温度ヒューズユニット２０に接続している。なお、図１に示した実施の形態１の端子台と同一の部分については同一の符号を付して、その詳細な説明は省略する。
【００２３】
なお、前記実施の形態１では、温度ヒューズ２３を用いたが、本実施の形態においても、高温を検知して溶断する温度ヒューズに代えて、単に温度センサを用い、警告信号を発信したり、別の場所で警告音を発するようにしてもよい。
【００２４】
（実施の形態３）
次に本発明の実施の形態３の端子台について説明する。この端子台１００Ｓは、図７に断面図を示すように、温度センサユニット２０Ｓの接触片２６を折り曲げることで、温度センサユニット２０Ｓの配線基板２１が端子板１５に対して所定の角度をなすように下方に折り曲げたものである。すなわち、熱検知用基板が端子板１５と所定の角度をなすように折り曲げられている。この折り曲げは、上部への配線に対して邪魔にならないようにと考慮して、作業性の向上を図ろうとするものである。他部については前記実施の形態１と同様である。
【００２５】
この端子台１００Ｓは、図７に示すように、前記実施の形態１に示した端子台１００と同様、端子台本体１０に、一次側端子に接続される一次側端子部１１と、二次側端子に接続される二次側端子部１２とを具備している。そして本実施の形態では、温度変化を検出する温度センサ２３Ｓを有する温度センサユニット２０Ｓを備えている。この温度センサユニット２０Ｓは端子台の二次側端子部１２の各端子に接触片２６を介して直接接触するように構成されている。
【００２６】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体１０との電気的接続を達成している。
【００２７】
上記構成によれば、熱検知用基板上に温度センサ２３Ｓを設けているため、端子の不完全接続などの異常に対して温度センサ２３Ｓが確実に反応し、一次側及び二次側の両側の異常検知が可能である。
【００２８】
また本実施の形態では、端子台１００Ｓのセパレート部の長手方向全体にわたり、接触片２６を介して熱的に接触状態を維持するようにしている。この接触片２６と熱検知用基板の配線パターン２２を介して熱を温度センサ２３Ｓまで搬送しているため、容易に確実な温度検出が実現される。
【００２９】
なお、熱検知用基板としては、金属基板表面に絶縁膜を介して配線パターン及び温度ヒューズなどの感温部を形成したものも有効である。この場合は接触片を金属基板と一体形成することも可能である。また、フレキシブル基板上に配線パターン及び温度ヒューズなどの感温部を形成したものも有効であり、この場合はフレキシブル基板に、櫛形にパターニングした金属箔の根元部を貼着し、先端部を接触片としてもよい。さらにまたセラミックなどやガラスなど剛性基板上に配線パターン及び温度ヒューズなどの感温部を形成したものも有効である。
【符号の説明】
【００３０】
１０      端子台本体
１０ｓ    隔壁
１１      一次側端子部
１１ａ    端子ネジ（一次側端子）
１１ｂ    台座（一次側端子）
１２      二次側端子部
１２ａ    端子ネジ（二次側端子）
１２ｂ    台座（二次側端子）
１３      セパレート部
１４      支持板
１４ａ    支持板本体
１４ｂ    取り付け突起
１４ｃ    ビス
１４ｄ    外部接続端子部
１５      端子板
２０      温度ヒューズユニット（熱検知用基板）
２０Ｓ 温度センサユニット（熱検知用基板）
２１      配線基板
２２      配線パターン
２３      温度ヒューズ（感温部）
２３Ｓ 温度センサ（感温部）
２４      コネクタ
２６      接触片
１００、１００Ｓ    端子台
【手続補正２】
【補正対象書類名】特許請求の範囲
【補正対象項目名】全文
【補正方法】変更
【補正の内容】
【特許請求の範囲】
【請求項１】
一次側端子に接続される一次側端子部と、
二次側端子に接続される二次側端子部と、
感温部を備えた熱検知用基板とを具備し、
前記二次側端子部の少なくとも１つの端子に熱接触した接触片が前記熱検知用基板に接続された端子台。
【請求項２】
請求項１に記載の端子台であって、
前記感温部は温度ヒューズを含み、
前記熱検知用基板は、前記温度ヒューズを搭載した配線基板である端子台。
【請求項３】
請求項２に記載の端子台であって、
前記温度ヒューズの出力は前記熱検知用基板に設けられた出力部を介して外部出力されるように構成された端子台。
【請求項４】
請求項１乃至３のいずれか１項に記載の端子台であって、
前記二次側端子部は、端子板と、前記端子板上に形成された台座に螺合して電線を挟みこむように形成された端子ネジとを備え、
前記熱検知用基板は、前記端子板と当接するように構成された端子台。
【請求項５】
請求項４に記載の端子台であって、
前記熱検知用基板は前記端子板と所定の角度をなすように折り曲げられた端子台。
【請求項６】
請求項１乃至５のいずれか１項に記載の端子台を含む配電装置。
【手続補正３】
【補正対象書類名】図面
【補正対象項目名】全図
【補正方法】変更
【補正の内容】
【図１】
2012216395.tif 000010
【図２】
2012216395.tif 000011
【図３】
2012216395.tif 000012
【図４】
2012216395.tif 000013
【図５】
2012216395.tif 000014
【図６】
2012216395.tif 000015
【図７】
2012216395.tif 000016